【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  通信リンク（１６）を通じて転送される、メッセージヘッダを備えたメッセージを伝達するときのオーバーヘッドを削減する方法であって、
前記通信リンク（１６）を通じて転送されるメッセージが受信され、削減されたデータメッセージおよび対応付けられたエイリアスアドレスが前記通信リンク（１６）で転送される方法において、
所定の第１組のエイリアスアドレスからの未使用のエイリアスアドレスが使用可能であるか否か決定するステップと、
未使用のエイリアスアドレスが使用可能な場合は、対応付けられたエイリアスアドレスを与えるように、所定の第１組のエイリアスアドレスからの未使用のエイリアスアドレスを、前記受信したメッセージのヘッダの少なくとも一部と対応付けるステップと、
未使用のエイリアスアドレスが使用不能な場合は、前記所定の１組のエイリアスアドレスの使用済みの１つを前記ヘッダと対応付け、対応付けられたエイリアスアドレスを与えるように、前記所定の第１組のエイリアスアドレスからのエイリアスアドレスであって、前に受信したメッセージのヘッダと現在対応付けられているエイリアスアドレスを、前記受信したメッセージの前記ヘッダの少なくとも一部と対応付けるステップと、
メッセージヘッダを備えた後続メッセージから、前記メッセージヘッダの少なくとも一部を除去して、メッセージを削減するステップであって、前記後続メッセージのメッセージヘッダの一部は、前記受信したメッセージの前記メッセージヘッダと実質的に同一である前記ステップ（４６、９６）と、
を含む方法。
【請求項２】  請求項１記載の方法において、前記除去するステップは、前記エイリアスアドレスと、前記メッセージに付随する前記メッセージヘッダの少なくとも一部とを、前記通信リンクで転送するステップ（３６、９８）より先に実行される方法。
【請求項３】  請求項２記載の方法であって、前記メッセージヘッダの少なくとも一部と前記対応付けられたエイリアスアドレスとの対応付けの確認を、前記通信リンクから受信する前記ステップ（３８、９４）を更に含む方法。
【請求項４】  請求項１記載の方法であって、
エイリアスアドレスと、転送された削減されたデータメッセージとを前記通信リンク（１６）から受信するステップ（５０、１００、１３０）と、
前記受信したエイリアスアドレスに対応付けられた前記メッセージヘッダの前記少なくとも一部と、前記削減されたデータメッセージとから前記後続メッセージを再構成するステップ（７０、１２０、１３６）と、
を更に含む方法。
【請求項５】  請求項１記載の方法であって、メッセージヘッダの少なくとも一部に対応付けられたエイリアスアドレスが使用済みとして識別するステップを更に含む方法。
【請求項６】  請求項１記載の方法において、前記所定の第１組のエイリアスアドレスからの使用済みエイリアスアドレスを対応付ける前記ステップは、
前記使用済みエイリアスアドレスごとに最終使用時を与えるように、前記所定の第１組のエイリアスアドレスからの各使用済みエイリアスアドレスが、いつ最後の使用されたかを決定するステップ（３４、８８）と、
使用済みエイリアスアドレスが使用不能な場合は、前記所定の第１組のエイリアスアドレスからの最終使用時が最も古い使用済みエイリアスアドレスと、前記受信したメッセージの前記メッセージヘッダの少なくとも一部とを対応付けるステップと、
を含む方法。
【請求項７】  請求項１記載の方法において、前記メッセージヘッダの前記少なくとも一部は、前記メッセージの発信元アドレスおよび宛先アドレスを含む方法。
【請求項８】  請求項１記載の方法において、前記通信リンク（１６）は、無線通信リンクである方法。
【請求項９】  請求項１記載の方法であって、
エイリアスアドレスと前記メッセージヘッダとの対応付けを監視するステップ（８４、１４２）と、
前記監視にもとづいて前記所定の第１組のエイリアスアドレスの中のエイリアスアドレスの数を増加させ、所定の第２組のエイリアスアドレスを与えるステップ（８６、１４４）と、
を更に含む方法。
【請求項１０】  請求項９記載の方法において、前記増加させるステップは、エイリアスアドレスの長さを増加させた連絡を、前記通信リンクで転送する前記ステップを含む方法。
【請求項１１】  請求項９記載の方法であって、前記エイリアスアドレスが活動状態にないと決定されると、前記所定の第２組のエイリアスアドレスから前記エイリアスアドレスを除去するステップを更に含む方法。
【請求項１２】  請求項１１記載の方法において、前記所定の第２組のエイリアスアドレスは、前記所定の第１組のエイリアスアドレスと所定の第３組のエイリアスアドレスの組み合わせを含む方法。
【請求項１３】  請求項１２記載の方法であって、前記所定の第３組のエイリアスアドレスのすべてが、前記所定の第２組のエイリアスアドレスから除去されている場合は、前記エイリアスアドレスの数を前記所定の第１組のエイリアスアドレスに減少させるステップを更に含む方法。
【請求項１４】  通信リンクを通じて、メッセージヘッダを備えたメッセージを伝達するときのオーバーヘッドを削減するシステムであって、前記通信リンク（１６）を通じて転送されるメッセージが受信され、削減されたデータメッセージと対応付けられたエイリアスアドレスが前記通信リンク（１６）で転送されるシステムにおいて、
所定の第１組のエイリアスアドレスからの未使用のエイリアスアドレスが使用可能であるか否か決定する手段と、
未使用のエイリアスアドレスが使用可能な場合は、対応付けられたエイリアスアドレスを与えるように、所定の第１組のエイリアスアドレスからの未使用のエイリアスアドレスを、前記受信したメッセージのヘッダの少なくとも一部と対応付ける手段と、
未使用のエイリアスアドレスが使用不能な場合は、対応付けられたエイリアスアドレスを与えるように、前記所定の第１組のエイリアスアドレスからの使用済みのエイリアスアドレスを、前記受信したメッセージの前記ヘッダの少なくとも一部と対応付ける手段と、
メッセージヘッダを備えた後続メッセージから、前記メッセージヘッダの少なくとも一部を除去して、メッセージを削減する手段であって、前記後続メッセージのメッセージヘッダの一部は、前記受信したメッセージの前記メッセージヘッダと実質的に同一である前記手段（４６、９６）と、
を含むシステム。
【請求項１５】  請求項１４記載のシステムであって、前記エイリアスアドレスと、前記メッセージに付随する前記メッセージヘッダの少なくとも一部とを、前記通信リンク（１６）で転送する手段（１２、３６、９８）を更に含むシステム。
【請求項１６】  請求項１５記載のシステムであって、前記メッセージヘッダの少なくとも一部と、前記対応付けられたエイリアスアドレスとの対応付けの確認を、前記通信リンク（１６）から受信する手段（１２、３８、９４）を更に含むシステム。
【請求項１７】  請求項１４記載のシステムであって、
エイリアスアドレスと、転送された削減されたデータメッセージとを前記通信リンク（１６）から受信する手段（１４、５０、１００、１３０）と、
前記受信したエイリアスアドレスに対応付けられた前記メッセージの前記少なくとも一部と、前記削減されたデータメッセージとから前記後続メッセージを再構成する手段（７０、１２０、１３６）と、
を更に含むシステム。
【請求項１８】  請求項１４記載のシステムであって、メッセージヘッダの少なくとも一部に対応付けられたエイリアスアドレスが使用済みとして識別する手段を更に含むシステム。
【請求項１９】  請求項１４記載のシステムにおいて、前記所定の第１組のエイリアスアドレスからの使用済みエイリアスアドレスを対応付ける前記手段は、
前記使用済みエイリアスアドレスごとに最終使用時を与えるように、前記所定の第１組のエイリアスアドレスからの各使用済みエイリアスアドレスが、いつ最後に使用されたかを決定する手段（３４、８８）と、
使用済みエイリアスアドレスが使用不能な場合は、前記所定の第１組のエイリアスアドレスからの最終使用時が最も古い使用済みエイリアスアドレスと、前記メッセージヘッダの少なくとも一部を対応付ける手段と、
を含むシステム。
【請求項２０】  請求項１４記載のシステムにおいて、前記メッセージヘッダの前記少なくとも一部は、前記メッセージの発信元アドレスおよび宛先アドレスを含むシステム。
【請求項２１】  請求項１４記載のシステムにおいて、前記通信リンク（１６）は、無線通信リンクであるシステム。
【請求項２２】  請求項１４記載のシステムであって、
エイリアスアドレスと前記メッセージヘッダとの対応付けを監視する手段（８４、１４２）と、
所定の第２組のエイリアスアドレスを与えるように、前記監視にもとづいて前記所定の第１組のエイリアスアドレスの中のエイリアスアドレスの数を増加させる手段（８６、１４４）と、
を更に含むシステム。
【請求項２３】  請求項２２記載のシステムにおいて、前記増加させる手段は、エイリアスアドレスの長さを増加させた連絡を、前記通信リンクで転送する手段を更に含むシステム。
【請求項２４】  請求項２２記載のシステムであって、前記エイリアスアドレスが活動状態にないと決定されると、前記所定の第２組のエイリアスアドレスから前記エイリアスアドレスを除去する手段を更に含むシステム。
【請求項２５】  請求項２４記載のシステムにおいて、前記所定の第２組のエイリアスアドレスは、前記所定の第１組のエイリアスアドレスと所定の第３組のエイリアスアドレスの組み合わせを含むシステム。
【請求項２６】  請求項２５記載のシステムであって、前記所定の第３組のエイリアスアドレスのすべてが、前記所定の第２組のエイリアスアドレスから除去されている場合は、前記エイリアスアドレスの数を前記所定の第１組のエイリアスアドレスに減少させる手段を更に含むシステム。
【請求項２７】  通信リンク（１６）を通じて、メッセージヘッダを備えたメッセージを伝達するときのオーバーヘッドを削減するコンピュータプログラムであって、前記通信リンクを通じて転送されるメッセージが受信され、削減されたデータメッセージと対応付けられたエイリアスアドレスが前記通信リンク（１６）で転送されるコンピュータプログラムにおいて、
コンピュータが読み取り可能な記憶媒体であって、前記媒体に含まれるコンピュータが読み取り可能なプログラムコードの手段を備えた前記記憶媒体を含み、前記コンピュータが読み取り可能なプログラムコードの手段は、
所定の第１組のエイリアスアドレスからの未使用のエイリアスアドレスが使用可能であるか否か決定するコンピュータが読み取り可能なプログラムコードの手段と、
未使用のエイリアスアドレスが使用可能な場合は、対応付けられたエイリアスアドレスを与えるように、所定の第１組のエイリアスアドレスからの未使用のエイリアスアドレスを、前記受信したメッセージのヘッダの少なくとも一部と対応付けるコンピュータが読み取り可能なプログラムコードの手段と、
未使用のエイリアスアドレスが使用不能な場合は、対応付けられたエイリアスアドレスを与えるように、前記所定の第１組のエイリアスアドレスからの使用済みのエイリアスアドレスを、前記受信したメッセージの前記ヘッダの少なくとも一部と対応付けるコンピュータが読み取り可能なプログラムコードの手段と、
メッセージヘッダを備えた後続メッセージから、前記メッセージヘッダの少なくとも一部を除去して、メッセージを削減するコンピュータが読み取り可能なプログラムコードの手段であって、前記後続メッセージのメッセージヘッダの一部は、前記受信したメッセージの前記メッセージヘッダと実質的に同一である前記コンピュータが読み取り可能なプログラムコードの手段（４６、９６）と、
を含むコンピュータプログラム。
【請求項２８】  請求項２７記載のコンピュータプログラムであって、前記エイリアスアドレスと、前記メッセージに付随する前記メッセージヘッダの少なくとも一部とを、前記通信リンク（１６）で転送するコンピュータが読み取り可能なプログラムコードの手段（３６、９８）を更に含むコンピュータプログラム。
【請求項２９】  請求項２８記載のコンピュータプログラムであって、前記メッセージヘッダの少なくとも一部と、前記対応付けられたエイリアスアドレスとの対応付けの確認を、前記通信リンク（１６）から受信するコンピュータが読み取り可能なプログラムコードの手段（３８、９４）を更に含むコンピュータプログラム。
【請求項３０】  請求項２７記載のコンピュータプログラムであって、
エイリアスアドレスと、転送された削減されたデータメッセージとを前記通信リンク（１６）から受信するコンピュータが読み取り可能なプログラムコードの手段（５０、１００、１３０）と、
前記受信したエイリアスアドレスに対応付けられた前記メッセージの前記少なくとも一部と、前記削減されたデータメッセージとから前記後続メッセージを再構成するコンピュータが読み取り可能なプログラムコードの手段（７０、１２０、１３６）と、
を更に含むコンピュータプログラム。
【請求項３１】  請求項２７記載のコンピュータプログラムであって、メッセージヘッダの少なくとも一部に対応付けられたエイリアスアドレスが使用済みとして識別するコンピュータが読み取り可能なプログラムコードの手段を更に含むコンピュータプログラム。
【請求項３２】  請求項２７記載のコンピュータプログラムにおいて、前記所定の第１組のエイリアスアドレスからの使用済みエイリアスアドレスを対応付ける前記コンピュータが読み取り可能なプログラムコードの手段は、
前記使用済みエイリアスアドレスごとに最終使用時を与えるように、前記所定の第１組のエイリアスアドレスからの各使用済みエイリアスアドレスは、いつ最後に使用されたかを決定するコンピュータが読み取り可能なプログラムコードの手段（３４、８８）と、
使用済みエイリアスアドレスが使用不能な場合は、前記所定の第１組のエイリアスアドレスからの最終使用時が最も古い使用済みエイリアスアドレスと、前記メッセージヘッダの少なくとも一部を対応付けるコンピュータが読み取り可能なプログラムコードの手段と、
を含むコンピュータプログラム。
【請求項３３】  請求項２７記載のコンピュータプログラムにおいて、前記メッセージヘッダの前記少なくとも一部は、前記メッセージの発信元アドレスおよび宛先アドレスを更に含むコンピュータプログラム。
【請求項３４】  請求項２７記載のコンピュータプログラムにおいて、前記通信リンク（１６）は、無線通信リンクであるコンピュータプログラム。
【請求項３５】  請求項２７記載のコンピュータプログラムであって、
エイリアスアドレスと前記メッセージヘッダとの対応付けを監視するコンピュータが読み取り可能なプログラムコードの手段（８４、１４２）と、
所定の第２組のエイリアスアドレスを与えるように、前記監視にもとづいて前記所定の第１組のエイリアスアドレスの中のエイリアスアドレスの数を増加させるコンピュータが読み取り可能なプログラムコードの手段（８６、１４４）と、
を更に含むコンピュータプログラム。
【請求項３６】  請求項３５記載のコンピュータプログラムにおいて、前記増加させるコンピュータが読み取り可能なプログラムコードの手段は、エイリアスアドレスの長さを増加させた連絡を、前記通信リンク（１６）で転送する前記コンピュータが読み取り可能なプログラムコードの手段を含むコンピュータプログラム。
【請求項３７】  請求項３５記載のコンピュータプログラムであって、前記エイリアスアドレスが活動状態にないと決定されると、前記所定の第２組のエイリアスアドレスから前記エイリアスアドレスを除去するコンピュータが読み取り可能なプログラムコードの手段を更に含むコンピュータプログラム。
【請求項３８】  請求項３７記載のコンピュータプログラムにおいて、前記所定の第２組のエイリアスアドレスは、前記所定の第１組のエイリアスアドレスと所定の第３組のエイリアスアドレスの組み合わせを含むコンピュータプログラム。
【請求項３９】  請求項３８記載のコンピュータプログラムであって、前記所定の第３組のエイリアスアドレスのすべてが、前記所定の第２組のエイリアスアドレスから除去されている場合は、前記エイリアスアドレスの数を前記所定の第１組のエイリアスアドレスに減少させるコンピュータが読み取り可能なプログラムコードの手段を更に含むコンピュータプログラム。